(57)【要約】      （修正有）【課題】容器の体積を増減し、且つコンパクトに収納出来る構造であって、パーツ交換などによってオリジナルの容器を携帯する事を可能とする。【解決手段】液体収容部上、液体収容部中、液体収容部下、カップと分離しており、液体収容部上の第１雄ネジの外径と接合する液体収容部中の第１雌ネジの内径、液体収容部下の第２雌ネジの内径は等しくなっている。液体収容部中と液体収容部下のそれぞれの外周面に円状に施されている第１円周凸部、第２円周凸部の輪もカップの第１円周凹部、第２円周凹部に捩込する上で等しく構成されている。液体収容部上の第１雄ネジに螺合するように液体収容部中の第１雌ネジと液体収容部下の第２雌ネジの直径が同じであり、液体収容部上と液体収容部下を接続した場合には、残る液体収容部中を液体収容部上に覆着する仕組みであり、その為に液体収容部中には液体収容部上の収納用雄ネジが螺合する為の第１雌ネジが設けられている。【選択図】図４
2018052620.tif 000002
【特許請求の範囲】
【請求項１】
収納する液体の量を増減調整可能とする液体容器（１）であって、液体容器（１）は液体収容部上（４７）と液体収容部中（４９）と液体収容部下（５１）を備え、前記液体収容部上（４７）は上下端が開口した筒状体であり、上端部に飲み口部（３）が設けられ、前記液体収容中（４９）は上下端が開口した筒状体であり、前記液体収容部下（５１）は上部が開口し、下端に底部が設けられており、前記液体収容部上（４７）の下端と液体収容部中（４９）の上端に設けられている第１接続部（３０）に液体収容部上（４７）の下端と液体収容部中（４９）の上端が連結する第１連結手段（２９）が設けられており、前記液体収容部中（４９）の下端と液体収容部下（５１）の上端に設けられている第２接続部（４４）に液体収容部中（４９）の下端と液体収容部下（５１）の上端とが連結する第２連結手段（４３）が設けられていることを特徴とする液体容器。
【請求項２】
前記液体収容部上（４７）の下部外周面に第１雄ネジ（２１）が設けられており、前記液体収容部中（４９）の上方内周面に第１雌ネジ（２３）が設けられており、前記第１雄ネジ（２１）と前記第１雌ネジ（２３）とが螺合し第１連結手段（２９）が構成され、前記液体収容部中（４９）の下部外周面に第２雄ネジ（３５）が設けられ、前記液体収容部下（５１）の上方内周面に第２雌ネジ（３７）が設けられており、第２雄ネジ（３５）と第２雌ネジ（３７）とが螺合し、第２連結手段（４３）が構成されていることを特徴とする請求項１記載の液体容器。
【請求項３】
前記液体収容部上（４７）の第１雄ネジ（２１）の上端部の外周面外方に向けて突設して第１栓部（１７）がリング状に設けられており、前記液体収容部中（４９）の第１雌ネジ（２３）の下端部の内周面内方に向けて突設して第１受け部（２７）がリング状に設けられており、第１栓部（１７）と前記第１受け部（２７）の間に第１雄ネジ（２１）と第１雌ネジ（２３）が設けられて第１連結手段（２９）が構成されており、前記液体収容部中（４９）の下方に筒状体の内方に向けて筒状体の直径が狭くなる方向に段部（３２）が形成されてなる第２栓部（３１）が内方へ突設してリング状に設けられており、前記液体収容部下（５１）の第２雌ネジ（３７）の下端部内周面内方に向けて突出してリング状に第２受け部（４１）が設けられており、第２栓部（３１）と第２受け部（４１）の間に第２雄ネジ（３５）と第２雌ネジ（３７）が設けられており、第２連結手段（４３）が構成されていることを特徴とする請求項１又は請求項２に記載の液体容器。
【請求項４】
前記液体収容部上（４７）の外周面下方で第１栓部（１７）の上方に収納用雄ネジ（１５）が設けられ、前記液体容器（１）の二段連結使用の場合には、液体収容部上（４７）の第１雄ネジ（２１）と液体収容部下（５１）の第２雌ネジ（３７）とを螺合させることによって液体収容部上（４７）と液体収容部下（５１）とを連結させ液体収容部中（４９）を上下反転させ、前記液体収容部中（４９）の第１雌ネジ（２３）を液体収容部上（４７）の収納用雄ネジ（１５）に螺合させることで液体収容部中（４９）は液体収容部上（４７）に覆着させ二段連結使用を可能とする事を特徴とする請求項１〜請求項３のいずれかに記載の液体容器。
【請求項５】
前記液体容器（１）の収納時の場合には前記液体収容部上（４７）を上下反転させ、第２連結手段（４３）により連結されている前記液体収容部下（５１）と前記液体収容部中（４９）の筒状体内側に前記液体収容部上（４７）の首部（５）から嵌入させ、収納用雄ネジ（１５）と前記液体収容部中（４９）の第１雌ネジ（２３）を螺合させる事で未使用状態を可能とする事を特徴とする請求項１〜請求項４のいずれかに記載の液体容器。
【請求項６】
前記液体容器（１）に用いるカップ（５３）であって、前記カップ（５３）は前記液体容器（１）の前記液体収容部下（５１）の第２円周凸部（３９）に嵌合させる第１円周凹部（５５）を前記カップ（５３）のカップ飲み口部（５４）の下方内周に設け、前記液体収容部下（５１）の底面（４５）側から前記カップ（５３）のカップ飲み口部（５４）側から嵌入装着し、飲用時に取り外し可能で、保護カバーとなる事を特徴とする請求項１〜請求項５のいずれかに記載の液体容器。
【請求項７】
前記液体容器（１）の使用時に於いて、前記液体容器（１）に用いるカップ（５３）であって、二段連結使用時、三段連結使用時には前記液体収容部下（５１）に装着された前記カップ（５３）を取り外し、カップ（５３）の上端側の内周面に設けられた第１円周凹部（５５）を液体収容部中（４９）の第１円周凸部（２５）に嵌合させることを特徴とする請求項１〜請求項６のいずれかに記載の液体容器。
【請求項８】
前記液体容器（１）に用いるカップ（５３）であって、前記液体カップ（５３）は収納用時に前記液体収容部中（４９）の上端外周面に設けられた第１円周凸部（２５）に嵌合させるための第２円周凹部（５７）を前記カップ（５３）の内底（５８）の上方側の内周面に設けたことを特徴とする請求項１〜請求項７のいずれかに記載の液体容器。
【発明の詳細な説明】
【技術分野】
【０００１】この発明は、液体容器のパーツ分けによる容量調整を可能とし、保護カバーを兼ねるカップを備え、未使用時は液体容器をコンパクトに収納する事を可能とするものである。
【背景技術】
【０００２】昨今、環境保全や自然災害などの続発などによって様々な製品が開発されているが、容器及び水筒なども例外ではなく独創的な商品が定期的に生み出されている
しかしながら、軽量化に重きを置けば容積もそれに比例し、体調や状況に依っては事足りぬ場合が生じ、反対に大容量の物を選ぶと日常的に携帯する場合に荷物になってしまうのではと購入時に悩んでしまったり、或いはサイズ別のものを幾つか購入せざるを得ないという声が少なからずあった。そのような事から発意されたものとしては以下のような物がある。
【先行技術文献】
【特許文献】
【０００３】
【特許文献１】実用新案登録第３１６７５８３号
【発明の概要】
【発明が解決しようとする課題】
【０００４】特許文献１の中核を成すものとして、各収容部を接続増減可能とすることにより、利用状況に合わせる事が出来るものであるが、この場合収納する水筒が３連結であると仮定して利用した場合、１パーツごと消費するごとにパーツを外して管理するか、そのまま接続したままである。
その為、体積自体は変わらず、結果としてかさばってしまうという事が考えられ、それを改善する事が課題となる。
【課題を解決するための手段】
【０００５】本願発明１は、収納する液体の量を増減調整可能とする液体容器（１）であって、液体容器（１）は液体収容部上（４７）と液体収容部中（４９）と液体収容部下（５１）を備え、前記液体収容部上（４７）は上下端が開口した筒状体であり、上端部に飲み口部（３）が設けられ、前記液体収容中（４９）は上下端が開口した筒状体であり、前記液体収容部下（５１）は上部が開口し、下端に底部が設けられており、前記液体収容部上（４７）の下端と液体収容部中（４９）の上端に設けられている第１接続部（３０）に液体収容部上（４７）の下端と液体収容部中（４９）の上端とが連結する第１連結手段（２９）が設けられており、前記液体収容部中（４９）の下端と液体収容部下（５１）の上端に設けられている第２接続部（４４）に液体収容部中（４９）の下端と液体収容部下（５１）の上端とが連結する第２連結手段（４３）が設けられていることを特徴とする液体容器。
本願発明２は、前記液体収容部上（４７）の下部外周面に第１雄ネジ（２１）が設けられており、前記液体収容部中（４９）の上方内周面に第１雌ネジ（２３）が設けられており、前記第１雄ネジ（２１）と前記第１雌ネジ（２３）とが螺合し第１連結手段（２９）が構成され、前記液体収容部中（４９）の下部外周面に第２雄ネジ（３５）が設けられ、前記液体収容部下（５１）の上方内周面に第２雌ネジ（３７）が設けられており、第２雄ネジ（３５）と第２雌ネジ（３７）とが螺合し連結する第２連結手段（４３）が構成されていることを特徴とする液体容器。
本願発明３は、前記液体収容部上（４７）の第１雄ネジ（２１）の上端部の外周面外方に向けて突設して第１栓部（１７）がリング状に設けられており、前記液体収容部中（４９）の第１雌ネジ（２３）の下端部の内周面内方に向けて突設して第１受け部（２７）がリング状に設けられており、第１栓部（１７）と前記第１受け部（２７）の間に第１雄ネジ（２１）と第１雌ネジ（２３）が設けられて第１連結手段（２９）が構成されており、前記液体収容部中（４９）の下方に筒状体の内方に向けて筒状体の直径が狭くなる方向に段部（３２）が形成されてなる第２栓部（３１）が内方へ突設してリング状に設けられており、前記液体収容部下（５１）の第２雌ネジ（３７）の下端部内周面内方に向けて突出してリング状に第２受け部（４１）が設けられており、第２栓部（３１）と第２受け部（４１）の間に第２雄ネジ（３５）と第２雌ネジ（３７）が設けられており、第２連結手段（４３）が構成されていることを特徴とする液体容器。
本願発明４は、前記液体収容部上（４７）の外周面下方で第１栓部（１７）の上方に収納用雄ネジ（１５）が設けられ、前記液体容器（１）の二段連結使用の場合には、液体収容部上（４７）の第１雄ネジ（２１）と液体収容部下（５１）の第２雌ネジ（３７）とを螺合させることによって液体収容部上（４７）と液体収容部下（５１）とを連結させ液体収容部中（４９）を上下反転させ、前記液体収容部中（４９）の第１雌ネジ（２３）を液体収容部上（４７）の収納用雄ネジ（１５）に螺合させることで液体収容部中（４９）を液体収容部上（４７）に覆着させ二段連結使用を可能とする事を特徴とする液体容器。
本願発明５は、前記液体容器（１）の収納時の場合には前記液体収容部上（４７）を上下反転させ、第２連結手段（４３）により連結されている前記液体収容部下（５１）と前記液体収容部中（４９）の筒状体内側に前記液体収容部上（４７）の首部（５）から嵌入させ、収納用雄ネジ（１５）と前記液体収容部中（４９）の第１雌ネジ（２３）を螺合させる事で未使用状態を可能とする事を特徴とする液体容器。
本願発明６は、前記液体容器に用いるカップ（５３）であって、前記カップ（５３）は前記液体容器（１）の前記液体収容部下（５１）の第２円周凸部（３９）に嵌合させる第１円周凹部（５５）を前記カップ（５３）のカップ飲み口部（５４）の下方内周に設け、前記液体収容部下（５１）の底面（４５）側から前記カップ（５３）のカップ飲み口部（５４）側から嵌入装着し、飲用時に取り外し可能で、保護カバーとなる事を特徴とする液体容器。
本願発明７は、前記液体容器（１）に用いるカップ（５３）であって、二段連結使用時、三段連結使用時には前記液体収容部下（５１）に装着された前記カップ（５３）を取り外し、カップ（５３）のカップ飲み口部（５４）の下側内周面に設けられた第１円周凹部（５５）を液体収容部中（４９）の第１円周凸部（２５）に嵌合させることを特徴とする液体容器。
本願発明８は、前記液体容器（１）に用いるカップ（５３）であって、前記液体カップ（５３）は収納用時に前記液体収容部中（４９）の上端外周面に設けられた第１円周凸部（２５）に嵌合させるための第２円周凹部（５７）を前記カップ（５３）の内底（５８）の上方側の内周面に設けたことを特徴とする液体容器。
これらの事を踏まえ、当発明では液体容器を三分割ほどにして、液体収容部上の外径下端に設けられた第１雄ネジと液体収容部中の内径下端に設けられた第１雌ネジで螺合し、同液体収容部中の頂部から第２栓部より下で内方に窄まる様に、且つ、外径に設けられた第２雄ネジと液体収容部下の内径に設けられた第２雌ネジとが螺合する事によって各収容部を連結させるものであり、必要に応じて容器の長さを一定の範囲に於いて三段式から二段式へと変える事を可能とするものであって、最長での利用を目的とする場合には液体収容部上、液体収容部中、液体収容部下を繋ぎ合わせ三段式にする事によってその目的を果たし、反対にコンパクト使用の場合などは液体収容部上の第１雄ネジと液体収容部下の第２雌ねじを螺合させる二段式となり、残る液体収容部中で液体収容部上の外周面を包被する仕組みであって、その為に液体収容部上の下端部外径から上の周囲は液体収容部中、液体収容部下の内径よりも径が小さくなる事が特徴である。尚、この事によって未使用時などは液体収容部上の飲み口部を下にし、液体収容部中の内側に嵌め込む事で最短の状態でストックする事などが可能となる。【０００６】また、液体収容部下の外周面上端側に設けられた円周凸部に嵌合する為の円周凹部を上方に設けたカップが前記液体収容部下に装着されているが、同様に液体収容部中の上端外周面に設けられた円周凸部と嵌合する為の円周凹部が前記カップの下方に設けられており、これにより飲料水などの直飲みなどに抵抗がある場合などにカップを取り外し利用する事が出来る上、０００５で述べたような状況に応じて液体収容部中の外周面に設けられている円周凸部に円周凹部を嵌合させる事で外付けカバーの役割も成すものとなる。
【発明の効果】
【０００７】敷衍して論ずれば、本発明は次のような効果を奏する。例えば本発明を飲料用として利用する事を考えた場合、季節に応じて、又はその日の体調によって欲する水分量が異なってくるのは誰しもが抱える生理現象であり、そのような状況に際し補給する水分量の調整を一定の範囲内に於いてこの容器一つで調整が可能となる。また、日常的な使用の他に、極力装備を減らす事が望ましいと思われる山登りなどをはじめとするレジャースポットでの携帯や、震災時などの非常用としてストックする為に軽量で極力コンパクトに纏め常備できることを想定した構造となっている。
特に震災時は生産状などの問題からペットボトル不足が懸念されるが、昨今、防災意識の高まりから避難所などでは給水場や給水車などの設備が整っている場合もあり、このような物が一つあるだけでも随分と状況が改善されるのではないかと考える。
他に特筆すべき点としては、本発明に於いて、例えばキャラクターデザインなどを模して販売する場合は、本発明の同サイズの別のキャラクターデザインを模したものと付け替えるとか、また無地のものにお気に入りのデザインや記念写真などの画像を印字するサービスなども導入し付け替えたりする事により独自にオリジナル容器を携帯する事が可能となり、様々な人の志向に合わせる事が出来る。
これにより、例えばペットボトル持ち込み禁止の場での使用頻度を高めるであるとか、何かの催しの一環として記念品、贈呈品として検討する場合など汎用性を広げる事に繋がると考える。
【図面の簡単な説明】
【０００８】
【図１】図１は、本発明に於ける液体容器の三段連結による状態を示した側面斜視図である。
【図２】図２は図１の断面図である。
【図３】図３は、図２の一部拡大図である。
【図４】図は、未接続状態の液体容器の断面図である。
【図５】図５は、液体容器の二段連結を示した側面斜視図である。
【図６】図６は、図５の断面図である。
【図７】図７は、液体収容部下と連結された液体収容部中の筒開口に、首部から液体収容部上を嵌入した状態を示した液体容器の側面斜視図である。
【図８】図８は、図７の断面図である。
【図９】図９は、図８の液体容器が未接続状態であることを示した断面図である。
【図１０】図１０（ａ）はカップの側面斜視図である。（ｂ）は断面図である。
【図１１】図１１は、三段連結の液体容器の液体収容部上飲み口側にカップを被せた側面斜視図である。
【図１２】図１２は、図１１の断面図である。
【図１３】図１３は、二段連結状態の液体容器の液体収容部上飲み口側にカップを被せた状態を示した液体容器の側面斜視図である。
【図１４】図１４は、図１３の断面図である。
【図１５】図１５は、二段連結状態の液体容器の飲み口側にカップを被せる直前の状態を示した側斜視面図である。
【図１６】片付け時の液体容器にカップを被せた状態を示した側面斜視図である。
【図１７】図１７は、図１６の断面図である。
【図１８】図１８は、未接続状態の液体容器と、キャップ、カップを示した側面斜視図である。
【発明を実施するための形態】
【０００９】次に、図１〜図１８について図に基づいて説明する。
図１は、液体収容部上（４７）、液体収容部中（４９）、液体収容部下（５１）の３つのパーツを繋ぎ合わせた最大容積を可能とする液体容器（１）であり、図が示すように液体収容部上（４７）は飲み口部（３）と首部雄ネジ（７）とキャップ止め（９）を設けた首部（５）を備え、第１連結手段（２９）によって液体収容部中（４９）と接合され、液体収容部中（４９）と液体収容部下（５１）は第２連結手段（４３）によって連結されている。
【００１０】図２、図３では各容器の構造など大まかに例を挙げて記述する。
図２、並びに図３拡大図で示すように接合された液体容器（１）は、液体収容部上（４７）の第１雄ネジ（２１）と液体収容部中（４９）の第１雌ネジ（２３）が第１連結手段（２９）で螺合する第１接続部（３０）を有し、この時、同液体収容部上（４７）の第１栓部（１７）と同液体収容部中（４９）の第１受け部（２７）によって挟着されるしくみであって、より高い強度及び安定した結合の維持と水密状態を保つことが出来る。同様に液体収容部中（４９）の第２雄ネジ（３５）と液体収容部下（５１）の第２雌ネジ（３７）が第２連結手段（４３）で螺合する第２接続部（４４）を有し、液体収容部中（４９）の第２栓部（３１）と同液体収容部下（５１）の第２受け部（４１）によって挟着されるしくみであり、これら第１連結手段（２９）から第２連結手段（４３）に及ぶ範囲は縦断図によっても内径の直線が大凡等しい事が分かる。同時に、液体収容部上（４７）の収納用雄ネジ（１５）から肩部（１３）にかけて緩やかに細くなっている。この事によって三段連結から二段連結として利用する事が可能となる事を図４、図５を使い後述する。
次に、図２の液体容器（１）の外寸法及び容積比を大まかに説明したい。
例えば液体容器（１）の部材の厚みが１〜２ｍｍくらいで統一されていると仮定して、液体収容部上（４７）の飲み口部（３）から下端部１（２２）までの長さを１１ｃｍ程とし、そのうち肩部（１３）から第１栓部（１７）までが７ｃｍ程で、第１栓部（１７）から下端部１（２２）までの第１雄ネジ（２１）を１ｃｍ程だったとする。次に第１雄ネジ（２１）に螺合する液体収容部中（４９）の第１雌ネジ（２３）の長さ同様に１ｃｍとなるが、液体収容部中（４９）の頂部１（１９）から下端部２（３６）までの長さを７ｃｍとする。前記液体収容部中（４９）の第２雄ネジ（３５）と液体収容部下（５１）の第２雌ネジ（３７）の長さも１ｃｍ程とし、前記液体収容部下（５１）の頂部２（３３）から底面（４５）までを１１・５ｃｍ程だったとすると三段連結状態の液体容器（１）の全長は第１雄ネジ（２１）と第１雌ネジ（２３）、第２雄ネジ（３５）と第２雌ネジ（３７）の螺合部位の差を考慮に入れ２７・５ｃｍ程となる。
次に液体容器（１）の容量比の一例挙げるが、液体収容部上（４７）の肩部（１３）周囲の内径を６ｃｍ、第１栓部（１７）周囲の内径を６・８ｃｍ、肩部（１３）から第１栓部（１７）までの長さを７ｃｍ程とした場合の容積は、大凡２２０ｍｌ程になり、次に液体収容部中（４９）の頂部１（１９）から第２栓部（３１）までの筒長さ６ｃｍの内径を７ｃｍとした場合には前記液体収容部中（４９）の容量は凡そ２３０ｍｌ程となる。続いて前記液体収容部中（４９）の第２栓部（３１）に接する頂部２（３３）から底面（４５）までの長さが１１・５ｃｍであるとし、うち、部材の厚み１〜２ｍｍを差し引いた前１１・３〜１１・４ｃｍ程にあたる前記液体収容部下（５１）の筒の長さの内径を液体収容部中（４９）同様の７ｃｍ程とした場合には４３４〜４３８ｍｌほどの容量となり、これらを合わせると総容量は大凡８８４〜８８８ｍｌ程となる。
また、液体収容部上（４７）の第１雄ネジ（２１）と液体収容部中（４９）の第１雌ネジ（２３）を螺合させ第１栓部（１７）に頂部１（１９）が振り合い、下端部１（２２）は第１受け部（２７）に振り合う第１連結手段（２９）による第１接続部（３０）によって挟着する構造である事が液体容器（１）の三段連結（１）使用時の場合に部材間の強度と水密保持を保つ事にも繋がり、同様に液体収容部中（４９）の第２雄ネジ（３５）と液体収容部下（５１）の第２雌ネジ（３７）とを螺合させ第２栓部（３１）に頂部２（３３）が振り合い、下端部２（３６）は第２受け部（４１）に振り合う第２連結手段（４３）に依る第２接続部（４４）によってしっかりとした安定を提供する事が可能となる。
【００１１】図４は、液体容器（１）の未接続状態を示した断面図であり、上段で述べたように液体収容部上（４７）と液体収容部中（４９）と液体収容部下（５１）の三つから液体容器（１）は構成され、液体収容部上（４７）と液体収容部下（４９）はこの図では、ほぼ同じ長さになっているが、これは液体収容部下（５１）に常設されるカップ（５３）利用に於ける性質上からなるのであって、特にカップの必要を感じないという事であればこの限りではなく、液体収容部下（４９）を短くすることも自由である。尚、カップ（５３）に関しては００１５以降の段で詳しく述べたい。
また、接続型の容器である事によって例えば冷蔵庫で液体を入れた液体収容部下（５１）だけを収め凍結させ、その上で液体収容部上（４７）と液体収容部中（４９）を接続し液体を注入するという事も出来る他に、洗浄に於いても分解できる事でより手入れを行き届かせる事にも繋がるものとなる。
【００１２】図５は、液体容器（１）の二段連結使用時の側面斜視図であるが、図が示すように液体収容部上（４７）の飲み口部（３）から肩部（１３）までが液体収容部中（４９）の頂部１（１９）から露出し、また、三段連結時と比較すると液体収容部中（４９）は第１円周凸部（２５）が、この二段連結時では下方に位置している事からも上下逆さまに液体収容部上（４７）に覆着していることが分かる。
【００１３】図６は液体容器（１）の二段連結時の断面図である。液体収容部上（４７）の第１雄ネジ（２１）と液体収容部下（５１）の第２雌ネジ（３７）が螺合し、この時液体収容部中（４９）を上下逆さまにし、液体収容部上（４７）に嵌入する事で液体収容部上（４７）の収納用雄ネジ（１５）に液体収容部中（４９）の第１雌ネジ（２３）が螺合し、また前記液体収容部上（４７）の収納用雄ネジ（１５）から肩部（１３）にかけ窄むように径が小さくなる事で、覆着している液体収容部中（４９）の、その内方に窄むように設けられた段部（３２）及び第２雄ネジ（３２）を設けた下端部２（３６）の内径に接するよをうに液体収容部上（４７）の肩部（１３）から肩部勾配（１１）及び首部（３）が液体収容部中（４９）の下端部２（３６）から露出する仕組みである。
次に二段連結使用での容量比考えた場合、先の００１０では液体容器（１）の三段連結式の例を用いると液体収容部上（４７）２２０ｍｌ、液体収容部中（４９）２３０ｍｌ、液体収容部下（５１）４３４〜４３８ｍｌで８８４〜８８８ｍｌ程になると述べたが、ここから２３０ｍｌ分ほどが減る事になるので６５４〜６５８ｍｌ程の容量となり、加えて三段連結使用時には２７・５ｃｍ程だった液体容器（１）の長さは、６ｃｍ減の２１・５ｃｍ程まで短くなる構造である。このことによって、例えばその日の体調などで三段連結か二段連結により水量調節を可能にし、三段連結使用時には水量が液体収容部下（５１）に収まる範囲まで液体が減れば途中で液体収容部中（４９）を取り外し液体収容部上（４７）を液体収容部下（５１）と連結させ、液体収容部中（４９）を手軽に液体収容部上（４７）に包被出来る事から、その日の気温や気分によって調整を変えられる仕組みである。
【００１４】図７、図８は、収納時に於ける二段連結使用を示す構図であり、液体収容部中（４９）と液体収容部下（５１）の内径に液体収容部上（４７）を上下逆さまにして飲み口部（３）から嵌入させる仕組みであるが、以下、図８を使い大まかに述べる。
図８が示すように、液体収容部下（５１）と接続した液体収容部上（４７）に嵌入された液体収容部中（４９）の第１雌ネジ（２３）と液体収容部上（４７）の収納用雄ネジ（１５）が螺合し、００１３で述べた構造に依って液体収容部上（４７）の肩部（１３）が液体収容部中（４９）の第２雄ネジ（３５）に阻害される事なく収める事を可能とする。
また、この時に液体収容部中（４９）の頂部１（１９）から液体収容部下（５１）の底面（４）までの長さは００１０の容器サイズの例を引用すると１７・５ｃｍ程となり、頂部１（１９）に上方にある第１雄ネジ（２１）を合わせた長さを加えるとこの時の液体容器（１）の全長は１８・５ｃｍ程となり、二段連結時との差はマイナス３ｃｍ程となり、三段連結時との差はマイナス９ｃｍほどの短縮効果をもたらす事が可能となる。
この事により、例えば液体がなくなった段階でこの様にコンパクトにして持ち帰る事が可能となる。図９は、図８の分解図である。
【００１５】図１０（ａ）はカップの斜視側面図であり、（ｂ）はその断面図であるが、００１１で触れたように、本発明は基本的にはカップも常備した物であり、カップ内面の上方にはカップ飲み口部（５３）から直ぐ下に第１円周凹部（５５）が設けられ、内底（５８）側には第２円周凹部（５）が設けられている。
カップ（５３）の深さは、先述通り液体収容部下（５１）の頂部２（３３）から底面（４５）までの長さ１１・５ｃｍ程であるとした場合、カップ飲み口部（５４）から内底（５８）までの深さを同様の１１・５ｃｍ程とすることでピタリと液体収容部下（５１）の底面（４５）にカップ（５３）の内底（５８）が接し、この時、液体収容部下（５１）の第２円周凸部（３９）に第１円周凹部（５５）を嵌合させる構造である。また、カップ（５３）は保護目的や埃カバーにもなり、それについての利用方法に関して以下の係わりを図１１〜図１７を使い下段以降で示したい。
【００１６】図１１、図１２は三段連結時の液体容器（１）にカップ（５３）を被せた状態であるが、図１２が示すように、液体容器中（４９）の第１円周凸部（２５）にカップ（５３）の第１円周凹部（５５）が嵌合７
する仕組みであって、この時、液体収容部上（４７）の飲み口部（３）から第１栓部（１７）までの長さは００１１で述べた一例を引用すると役１０ｃｍであり、第１栓部（１７）から液体収容部中（４９）に突設された第１円周凸部（２５）までを１ｃｍ弱の位置にあると仮定すると前記第１円周凸部（２５）は飲み口部（３）から大凡１０ｃｍから１１ｃｍの間で位置する事になる。次にカップ（５３）の内底（５８）から第１円周凹部（５５）を同様の１０ｃｍから１１ｃｍ程の間に設ける事によって第１円周凸部（２５）と第１円周凹部（５５）は等しいところに位置し嵌合し、且つ飲み口部（３）に内底（５８）が接触しないだけの空間を確保する事によって、キャップ（５９）を付けたままの装着も差し障りがない状態となる。
また、キャップ（５９）以外の市販のキャップ等を利用出来るようにする為に、飲み口部（３）外径は２・６ｃｍ程にし、飲み口部（３）から下方１・４ｃｍ程の所にキャップ止め（９）を設ける事で一般のペットボトルの平均的な口径とキャップの内径の深さに合わせる事が出来るものとなる。
【００１７】図１３、図１４は二段連結使用時に於ける保護カップ利用を示した側面図と断面図であり、００１４で述べた様に液体収容部上（４７）と液体収容部下（５１）とが接続され、前記液体収容部上（４７）に液体収容部中（４９）が上下逆さまになって覆着している事により、第１雌ネジ（２３）と収納用雄ネジ（１５）が螺合し、それにより第１栓部（１７）の上に移った第１円周凸部（２５）と第１円周凹部（５５）とが嵌合することを可能とするものである。
図１５は、カップ（５３）を保護用カップとして二段連結時の液体容器（１）に被包する直前の状態を示した側面図である。
【００１８】図１６は００１４で述べた収納時の二段連結された液体容器（１）にカップ（５３）を被せた状態の側面図であり、図１７は図１６の断面図であるが、図が示すように液体収容部中（４９）の第１円周凸部（２５）にカップ（５３）の第２円周凹部（５７）を嵌め込む構造である。この事によって液体容器（１）に埃などが入る事を防ぐとともにコンパクトに纏まるため、常用以外にも、例えば防災などに備えて保管するということにも適したものになるのではないかと考える。
【００１９】図１８は、液体収容部上（４７）液体収容部中（４９）液体収容部下（５１）カップ（５３）キャップ（５９）の分解図であるが、このようにパーツ分けが出来る事で例えばキャラクターデザインが施された液体容器（１）の液体収容部上（４７）及び液体収容部中（４９）液体収容部下（５１）の何れかを別のキャラクターが施された同サイズの液体容器（１）のものと付け替えるとか、購入者が希望する写真プリントを施すなどといったサービスを導入するなどで、各々好みの液体容器（１）として携帯する事なども出来るものである。また、ニーズに合わせ液体容器（１）の長さや径を変えたサイズを幾つか用意し、例えば３５０〜５００ｍｌ、７００〜９００ｍｌ、１０００〜１３００ｍｌなどという様に個々の希望に沿うようなサイズを提供する事でより一層の拡販に資することが出来る。
【産業上の利用可能性】
【００２０】本発明は液体容器の構造によって容積を変える仕組みであり、パーツが交換できる事によって例えば同商品の同サイズである他のキャラクターデザインを模した物と付け替えてオリジナルとしての独自性ある楽しみ方を得たり、また未使用時には軽量でコンパクトに纏めておけるものである事から日常の携帯を快適なものにし、依って防災用としてストックする、或いは配布する上でも適したものであって産業の発展に寄与するものであると考える。
【符号の説明】
【００２１】１    液体容器
３    飲み口部
５    首部
７    首部雄ネジ
９    キャップ止め
１１  肩部勾配
１３  肩部
１５  収納用雄ネジ
１７  第１栓部
１９  頂部１
２１  第１雄ネジ
２２  下端部１
２３  第１雌ネジ
２５  第１円周凸部
２７  第１受け部
２９  第１連結手段
３０  第１接続部
３１  第２栓部
３２  段部
３３  頂部２
３５  第２雄ネジ
３６  下端部２
３７  第２雌ネジ
３９  第２円周凸部
４１  第２受け部
４３  第２連結手段
４４  第２接続部
４５  底面
４７  液体収容部上
４９  液体収容部中
５１  液体収容部下
５３  カップ
５４  カップ飲み口部
５５  第１円周凹部
５７  第２円周凹部
５８  内底
５９  キャップ
【図１】
2018052620.tif 000003
【図２】
2018052620.tif 000004
【図３】
2018052620.tif 000005
【図４】
2018052620.tif 000006
【図５】
2018052620.tif 000007
【図６】
2018052620.tif 000008
【図７】
2018052620.tif 000009
【図８】
2018052620.tif 000010
【図９】
2018052620.tif 000011
【図１０】
2018052620.tif 000012
【図１１】
2018052620.tif 000013
【図１２】
2018052620.tif 000014
【図１３】
2018052620.tif 000015
【図１４】
2018052620.tif 000016
【図１５】
2018052620.tif 000017
【図１６】
2018052620.tif 000018
【図１７】
2018052620.tif 000019
【図１８】
2018052620.tif 000020
【手続補正書】
【提出日】平成28年10月22日(2016.10.22)
【手続補正１】
【補正対象書類名】明細書
【補正対象項目名】０００７
【補正方法】変更
【補正の内容】
【０００７】敷衍して論ずれば、本発明は次のような効果を奏する。例えば本発明を飲料用として利用する事を考えた場合、その日の体調や季節に応じて、特に夏場などは欲する水分量が異なってくるのは誰しもが直面する問題であって、持参する液体容器で少しでも水分を増やしたいという場合などの状況にあった場合、補給する水分量の調整を一定の範囲内に於いてこの容器一つで増量を可能とするものである。また、日常的な使用の他に、極力装備を減らす事が望ましいと思われる山登りなどをはじめとするレジャースポットでの携帯や、震災時などの非常用としてストックする為に軽量で極力コンパクトに纏め常備できることを想定した構造となっている。
特に震災時は生産状などの問題からペットボトル不足が懸念されるが、昨今、防災意識の高まりから避難所などでは給水場や給水車などの設備が整っている場合もあり、このような物が一つあるだけでも随分と状況が改善されるのではないかと考える。
他に特筆すべき点としては、本発明に於いて、例えばキャラクターデザインなどを模して販売する場合は、本発明の同サイズの別のキャラクターデザインを模したものと付け替えるとか、また無地のものにお気に入りのデザインや記念写真などの画像を印字するサービスなども導入し付け替えたりする事により独自にオリジナル容器を携帯する事が可能となり、様々な人の志向に合わせる事が出来る。
これにより、例えばペットボトル持ち込み禁止の場での使用頻度を高めるであるとか、何かの催しの一環として記念品、贈呈品として検討する場合など汎用性を広げる事に繋がるものと考える。
【手続補正２】
【補正対象書類名】明細書
【補正対象項目名】００１０
【補正方法】変更
【補正の内容】
【００１０】図２、図３では各容器の構造など大まかに例を挙げて記述する。
図２、並びに図３拡大図で示すように接合された液体容器（１）は、液体収容部上（４７）の第１雄ネジ（２１）と液体収容部中（４９）の第１雌ネジ（２３）が第１連結手段（２９）で螺合する第１接続部（３０）を有し、この時、同液体収容部上（４７）の第１栓部（１７）と同液体収容部中（４９）の第１受け部（２７）によって挟着されるしくみであって、より高い強度及び安定した結合の維持と水密状態を保つことが出来る。同様に液体収容部中（４９）の第２雄ネジ（３５）と液体収容部下（５１）の第２雌ネジ（３７）が第２連結手段（４３）で螺合する第２接続部（４４）を有し、液体収容部中（４９）の第２栓部（３１）と同液体収容部下（５１）の第２受け部（４１）によって挟着されるしくみであり、これら第１連結手段（２９）から第２連結手段（４３）に及ぶ範囲は縦断図によっても内径の直線が大凡等しい事が分かる。同時に、液体収容部上（４７）の収納用雄ネジ（１５）から肩部（１３）にかけて緩やかに細くなっている。この事によって三段連結から二段連結として利用する事が可能となる事を図４、図５を使い後述する。
次に、図２の液体容器（１）の外寸法及び容積比を大まかに説明したい。
例えば液体容器（１）の部材の厚みが１〜２ｍｍくらいで統一されていると仮定して、液体収容部上（４７）の飲み口部（３）から下端部１（２２）までの長さを１１ｃｍ程とし、そのうち肩部（１３）から第１栓部（１７）までが７ｃｍ程で、第１栓部（１７）から下端部１（２２）までの第１雄ネジ（２１）を１ｃｍ程だったとする。次に第１雄ネジ（２１）に螺合する液体収容部中（４９）の第１雌ネジ（２３）の長さ同様に１ｃｍとなるが、液体収容部中（４９）の頂部１（１９）から下端部２（３６）までの長さを７ｃｍとする。前記液体収容部中（４９）の第２雄ネジ（３５）と液体収容部下（５１）の第２雌ネジ（３７）の長さも１ｃｍ程とし、前記液体収容部下（５１）の頂部２（３３）から底面（４５）までを１１．５ｃｍ程だったとすると三段連結状態の液体容器（１）の全長は第１雄ネジ（２１）と第１雌ネジ（２３）、第２雄ネジ（３５）と第２雌ネジ（３７）の螺合部位の差を考慮に入れ２７．５ｃｍ程となる。
次に液体容器（１）の容量比の一例挙げるが、液体収容部上（４７）の肩部（１３）周囲の内径を６ｃｍ、第１栓部（１７）周囲の内径を６．８ｃｍ、肩部（１３）から第１栓部（１７）までの長さを７ｃｍ程とした場合の容積は、大凡２２０ｍｌ程になり、次に液体収容部中（４９）の頂部１（１９）から第２栓部（３１）までの筒長さ６ｃｍの内径を７ｃｍとした場合には前記液体収容部中（４９）の容量は凡そ２３０ｍｌ程となる。続いて前記液体収容部中（４９）の第２栓部（３１）に接する頂部２（３３）から底面（４５）までの長さが１１．５ｃｍであるとし、うち、部材の厚み１〜２ｍｍを差し引いた前１１．３〜１１．４ｃｍ程にあたる前記液体収容部下（５１）の筒の長さの内径を液体収容部中（４９）同様の７ｃｍ程とした場合には４３４〜４３８ｍｌほどの容量となり、これらを合わせると総容量は大凡８８４〜８８８ｍｌ程となる。
また、液体収容部上（４７）の第１雄ネジ（２１）と液体収容部中（４９）の第１雌ネジ（２３）を螺合させ第１栓部（１７）に頂部１（１９）が振り合い、下端部１（２２）は第１受け部（２７）に振り合う第１連結手段（２９）による第１接続部（３０）によって挟着する構造である事が液体容器（１）の三段連結使用時の場合に部材間の強度と水密保持を保つ事にも繋がり、同様に液体収容部中（４９）の第２雄ネジ（３５）と液体収容部下（５１）の第２雌ネジ（３７）とを螺合させ第２栓部（３１）に頂部２（３３）が振り合い、下端部２（３６）は第２受け部（４１）に振り合う第２連結手段（４３）に依る第２接続部（４４）によってしっかりとした安定した状態を保つ事が可能となる。
【手続補正３】
【補正対象書類名】明細書
【補正対象項目名】００１１
【補正方法】変更
【補正の内容】
【００１１】図４は、液体容器（１）の未接続状態を示した断面図であり、上段で述べたように液体収容部上（４７）と液体収容部中（４９）と液体収容部下（５１）の三つから液体容器（１）は構成され、液体収容部上（４７）と液体収容部下（５１）はこの図では、ほぼ同じ長さになっているが、これは液体収容部下（５１）に常設されるカップ（５３）利用に於ける性質上からなるのであって、特にカップの必要を感じないという事であればこの限りではなく、液体収容部下（５１）を短くすることも自由である。尚、カップ（５３）に関しては００１５以降の段で詳しく述べたい。
また、接続型の容器である事によって例えば液体収容部下（５１）に氷を入れた上で連結させるとか、成いは冷凍庫に液体を入れた液体収容部下（５１）だけを収め凍結させ、その上で液体収容部上（４７）と液体収容部中（４９）を接続し液体を注入するという事も出来る他に、洗浄に於いても分解できる事で、より手入れを行き届かせる事が可能となり衛生面にも配慮した構造となっている。
【手続補正４】
【補正対象書類名】明細書
【補正対象項目名】００１３
【補正方法】変更
【補正の内容】
【００１３】図６は液体容器（１）の二段連結時の断面図である。液体収容部上（４７）の第１雄ネジ（２１）と液体収容部下（５１）の第２雌ネジ（３７）が螺合し、この時液体収容部中（４９）を上下逆さまにし、液体収容部上（４７）に嵌入する事で液体収容部上（４７）の収納用雄ネジ（１５）に液体収容部中（４９）の第１雌ネジ（２３）が螺合し、また前記液体収容部上（４７）の収納用雄ネジ（１５）から肩部（１３）にかけ窄むように径が小さくなる事で、覆着している液体収容部中（４９）の、その内方に窄むように設けられた段部（３２）及び第２雄ネジ（３５）を設けた下端部２（３６）の内径に接するように液体収容部上（４７）の肩部（１３）から肩部勾配（１１）及び首部（３）が液体収容部中（４９）の下端部２（３６）から露出する仕組みである。
次に二段連結使用での容量比考えた場合、先の００１０では液体容器（１）の三段連結式の例を用いると液体収容部上（４７）２２０ｍｌ、液体収容部中（４９）２３０ｍｌ、液体収容部下（５１）４３４〜４３８ｍｌで、これらを合わせると８８４〜８８８ｍｌ程になると述べたが、ここから液体収容部中（４９）の２３０ｍｌ分ほどが減る事になるので６５４〜６５８ｍｌ程の容量となり、加えて三段連結使用時には２７．５ｃｍ程だった液体容器（１）の長さは、６ｃｍ減の２１．５ｃｍ程まで短くなる構造である。このことによって、例えばその日の体調などで三段連結か二段連結により水量調節を可能にし、三段連結使用時には水量が液体収容部下（５１）に収まる範囲まで液体が減れば途中で液体収容部中（４９）を取り外し液体収容部上（４７）を液体収容部下（５１）と連結させ、液体収容部中（４９）を手軽に液体収容部上（４７）に包被出来る事から、その日の気温や気分によって調整を変えられる仕組みである。
【手続補正５】
【補正対象書類名】明細書
【補正対象項目名】００１４
【補正方法】変更
【補正の内容】
【００１４】図７、図８は、収納時に於ける二段連結使用を示す構図であり、液体収容部中（４９）と液体収容部下（５１）の内径に液体収容部上（４７）を上下逆さまにして飲み口部（３）から嵌入させる仕組みであるが、以下、図８を使い大まかに述べる。
図８が示すように、接続された液体収容部（４９）と液体収容部（５１）に嵌入された液体液体収容部上（４７）の収納用雄ネジ（１５）が液体収容部中（４９）の第１雌ネジ（２３）と螺合し、００１３述べた構造に依って液体収容部上（４７）の肩部（１３）が液体収容部中（４９）の第２雄ネジ（３５）に阻害される事なく収める事を可能とする。
また、この時に液体収容部中（４９）の頂部１（１９）から液体収容部下（５１）の底面（４５）までの長さは００１０の容器サイズの例を引用すると１７．５ｃｍ程となり、頂部１（１９）に上方にある第１雄ネジ（２１）を合わせた長さを加えるとこの時の液体容器（１）の全長は１８．５ｃｍ程となり、二段連結時との差はマイナス３ｃｍ程となり、三段連結時との差はマイナス９ｃｍほどの短縮効果をもたらす事が可能となる。
この事により、例えば液体がなくなった段階でこの様にコンパクトにして持ち帰る事が可能となる。図９は、図８の分解図である。
【手続補正６】
【補正対象書類名】明細書
【補正対象項目名】００１５
【補正方法】変更
【補正の内容】
【００１５】図１０（ａ）はカップ（５３）の斜視側面図であり、（ｂ）はその断面図であるが、００１１で触れたように、本発明は基本的にはカップ（５３）も常備した物であり、カップ内面の上方にはカップ飲み口部（５４）から直ぐ下に第１円周凹部（５５）が設けられ、内底（５８）側には第２円周凹部（５７）が設けられている。
カップ（５３）の深さは、先述通り液体収容部下（５１）の頂部２（３３）から底面（４５）までの長さ１１．５ｃｍ程であるとした場合、カップ飲み口部（５４）から内底（５８）までの深さを同様の１１．５ｃｍ程とすることでピタリと液体収容部下（５１）の底面（４５）にカップ（５３）の内底（５８）が接し、この時、液体収容部下（５１）の第２円周凸部（３９）にカップ（５３）の第１円周凹部（５５）を嵌合、常設する構造である。また、カップ（５３）は保護目的や埃カバーにもなり、それについての利用方法に関して以下の係わりを図１１〜図１７を使い下段以降で示したい。
【手続補正７】
【補正対象書類名】明細書
【補正対象項目名】００１６
【補正方法】変更
【補正の内容】
【００１６】図１１、図１２は三段連結時の液体容器（１）にカップ（５３）を被せた状態であるが、図１２が示すように、液体収容部中（４９）の第１円周凸部（２５）にカップ（５３）の第１円周凹部（５５）が嵌合する仕組みであって、この時、液体収容部上（４７）の飲み口部（３）から第１栓部（１７）までの長さは００１１で述べた一例を引用すると約１０ｃｍであり、第１栓部（１７）から液体収容部中（４９）に突設された第１円周凸部（２５）までを１ｃｍ弱の間に位置していると仮定すると、前記第１円周凸部（２５）は飲み口部（３）から大凡１０ｃｍから１１ｃｍの間で位置する事になる。次にカップ（５３）の内底（５８）から第１円周凹部（５５）を同様の１０ｃｍから１１ｃｍ程の間に設ける事によって第１円周凸部（２５）と第１円周凹部（５５）は等しいところに位置し嵌合し、且つ飲み口部（３）に内底（５８）が接触しないだけの空間を確保する事によって、キャップ（５９）を付けたままの装着も差し障りがない状態となる。
また、キャップ（５９）は、市販のキャップ等を利用出来るようにする為に、基本的には飲み口部（３）外径は２．６ｃｍ程にし、飲み口部（３）から下方１．４ｃｍ程の所にキャップ止め（９）を設ける事で一般のペットボトルの平均的な口径とキャップの内径の深さに合わせる事が出来るものとなる。
【手続補正８】
【補正対象書類名】明細書
【補正対象項目名】００１８
【補正方法】変更
【補正の内容】
【００１８】図１６は００１４で述べた収納時の二段連結された液体容器（１）にカップ（５３）を被せた状態の側面図であり、図１７は図１６の断面図であるが、図が示すように液体収容部中（４９）の第１円周凸部（２５）にカップ（５３）の第２円周凹部（５７）を嵌め込む構造である。この事によって液体容器（１）に埃などが入る事を防ぐとともにコンパクトに纏まるため、常用以外にも、例えば防災などに備えて保管するということにも適したものになるのではないかと考える。
【手続補正９】
【補正対象書類名】明細書
【補正対象項目名】００１９
【補正方法】変更
【補正の内容】
【００１９】図１８は、液体収容部上（４７）液体収容部中（４９）液体収容部下（５１）カップ（５３）キャップ（５９）の分解図であるが、このようにパーツ分けが出来る事で例えばキャラクターデザインが施された液体容器（１）の液体収容部上（４７）及び液体収容部中（４９）液体収容部下（５１）の何れかを別のキャラクターが施された同サイズの液体容器（１）のものと付け替えるとか、購入者が希望する写真プリントを施すなどといったサービスを導入するなどで、各々好みの液体容器（１）として携帯する事なども出来るものである。また、ニーズに合わせ液体容器（１）の長さや径を変えたサイズを幾つか用意し、その中で例えば３５０〜５００ｍｌ位までの物と、７００〜９００ｍｌ位までの物と、１０００〜１３００ｍｌ位までの物という様に個々の希望に沿うようなサイズを提供する事でより一層の拡販に資することが出来る。
【手続補正１１】
【補正対象書類名】図面
【補正対象項目名】図６
【補正方法】変更
【補正の内容】
【図６】
2018052620.tif 000021
【手続補正１２】
【補正対象書類名】図面
【補正対象項目名】図８
【補正方法】変更
【補正の内容】
【図８】
2018052620.tif 000022
【手続補正１３】
【補正対象書類名】図面
【補正対象項目名】図９
【補正方法】変更
【補正の内容】
【図９】
2018052620.tif 000023
【手続補正１４】
【補正対象書類名】図面
【補正対象項目名】図１２
【補正方法】変更
【補正の内容】
【図１２】
2018052620.tif 000024
【手続補正１５】
【補正対象書類名】図面
【補正対象項目名】図１４
【補正方法】変更
【補正の内容】
【図１４】
2018052620.tif 000025
【手続補正１６】
【補正対象書類名】図面
【補正対象項目名】図１７
【補正方法】変更
【補正の内容】
【図１７】
2018052620.tif 000026
【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
収納する液体の量を増減調整可能とする液体容器（１）であって、液体容器（１）は液体収容部上（４７）と液体収容部中（４９）と液体収容部下（５１）を備え、前記液体収容部上（４７）は上下端が開口した筒状体であり、上端部に飲み口部（３）が設けられ、前記液体収容中（４９）は上下端が開口した筒状体であり、前記液体収容部下（５１）は上部が開口し、下端に底部が設けられており、前記液体収容部上（４７）の下端と液体収容部中（４９）の上端に設けられている第１接続部（３０）に液体収容部上（４７）の下端と液体収容部中（４９）の上端が連結する第１連結手段（２９）が設けられており、前記液体収容部中（４９）の下端と液体収容部下（５１）の上端に設けられている第２接続部（４４）に液体収容部中（４９）の下端と液体収容部下（５１）の上端とが連結する第２連結手段（４３）が設けられており、前記液体収容部上（４７）の下部外周面に第１雄ネジ（２１）が設けられており、前記液体収容部中（４９）の上方内周面に第１雌ネジ（２３）が設けられており、前記第１雄ネジ（２１）と前記第１雌ネジ（２３）とが螺合し第１連結手段（２９）が構成され、前記液体収容部中（４９）の下部外周面に第２雄ネジ（３５）が設けられ、前記液体収容部下（５１）の上方内周面に第２雌ネジ（３７）が設けられており、第２雄ネジ（３５）と第２雌ネジ（３７）とが螺合し、第２連結手段（４３）が構成されており、前記液体収容部上（４７）の第１雄ネジ（２１）の上端部の外周面外方に向けて突設して第１栓部（１７）がリング状に設けられており、前記液体収容部中（４９）の第１雌ネジ（２３）の下端部の内周面内方に向けて突設して第１受け部（２７）がリング状に設けられており、第１栓部（１７）と前記第１受け部（２７）の間に第１雄ネジ（２１）と第１雌ネジ（２３）が設けられて第１連結手段（２９）が構成されており、前記液体収容部中（４９）の下方に筒状体の内方に向けて筒状体の直径が狭くなる方向に段部（３２）が形成されてなる第２栓部（３１）が内方へ突設してリング状に設けられており、前記液体収容部下（５１）の第２雌ネジ（３７）の下端部内周面内方に向けて突出してリング状に第２受け部（４１）が設けられており、第２栓部（３１）と第２受け部（４１）の間に第２雄ネジ（３５）と第２雌ネジ（３７）が設けられており、第２連結手段（４３）が構成されており、前記液体収容部上（４７）の外周面下方で第１栓部（１７）の上方に収納用雄ネジ（１５）が設けられ、前記液体容器（１）の二段連結使用の場合には、液体収容部上（４７）の第１雄ネジ（２１）と液体収容部下（５１）の第２雌ネジ（３７）とを螺合させることによって液体収容部上（４７）と液体収容部下（５１）とを連結させ液体収容部中（４９）を上下反転させ、前記液体収容部中（４９）の第１雌ネジ（２３）を液体収容部上（４７）の収納用雄ネジ（１５）に螺合させることで液体収容部中（４９）は液体収容部上（４７）に覆着させ二段連結使用を可能とすることを特徴とする液体容器。
【請求項２】
前記液体容器（１）の収納時の場合には前記液体収容部上（４７）を上下反転させ、第２連結手段（４３）により連結されている前記液体収容部下（５１）と前記液体収容部中（４９）の筒状体内側に前記液体収容部上（４７）の首部（５）から嵌入させ、収納用雄ネジ（１５）と前記液体収容部中（４９）の第１雌ネジ（２３）を螺合させることで未使用状態を可能とすることを特徴とする請求項１記載の液体容器。
【請求項３】
前記液体容器（１）に用いるカップ（５３）であって、前記カップ（５３）は前記液体容器（１）の前記液体収容部下（５１）の第２円周凸部（３９）に嵌合させる第１円周凹部（５５）を前記カップ（５３）のカップ飲み口部（５４）の下方内周に設け、前記液体収容部下（５１）の底面（４５）側から前記カップ（５３）のカップ飲み口部（５４）側から嵌入装着し、飲用時に取り外し可能で、保護カバーとなることを特徴とする請求項１又は２に記載の液体容器。
【請求項４】
前記液体容器（１）の使用時に於いて、前記液体容器（１）に用いるカップ（５３）であって、二段連結使用時、三段連結使用時には前記液体収容部下（５１）に装着された前記カップ（５３）を取り外し、カップ（５３）の上端側の内周面に設けられた第１円周凹部（５５）を液体収容部中（４９）の第１円周凸部（２５）に嵌合させることを特徴とする請求項１〜３のいずれかに記載の液体容器。
【請求項５】
前記液体容器（１）に用いるカップ（５３）であって、前記液体カップ（５３）は収納用時に前記液体収容部中（４９）の上端外周面に設けられた第１円周凸部（２５）に嵌合させるための第２円周凹部（５７）を前記カップ（５３）の内底（５８）の上方側の内周面に設けたことを特徴とする請求項１〜４のいずれかに記載の液体容器。